(57)【要約】【課題】電子機器のサブカバーを、工事部の有無に係わらず省スペースで実現し、機構が露呈せず、開閉力の調整、開閉の固定ができ、作業の邪魔にならないように取り付ける。【解決手段】サブカバー２０の両端にフック状のアーム２５を設け、そのフック状のアーム２５を、メインカバー２１の被いを除いたシャーシ２２の開放部２３両端の隙間２４に挿入して取り付ける。このため、サブカバーは、前記隙間２４に取り付けるので工事部にスペースを要しないので、工事部の有無に係わらず取り付けられる。また、取り付け機構を隙間２４に形成したので露出しない。さらに、サブカバー２０は、シャーシ２２のネジ孔２７、アーム２５の貫通孔３１、メインカバー２１の貫通孔２８を介してネジ止めするので、ネジ３６の締め付けで開閉に要する力の調整や固定ができる。また、フック状のアーム２５は、サブカバー２０をメインカバー２１の上に持ち上げて、作業の邪魔にならないようにできる。【選択図】図１
2010129836.tif 000002
【特許請求の範囲】
【請求項１】
シャーシを被うメインカバーと、そのメインカバーの被いを除いた前記シャーシの開放部に、アームで開閉自在に取り付けられるサブカバーとで構成され、
前記メインカバーと前記シャーシの開放部の両端との間に、サブカバーのアームを挿入する隙間が形成され、その隙間のシャーシ側にネジ孔が設けられるとともに、前記ネジ孔と対向する貫通孔がメインカバーに設けられ、かつ、前記貫通孔の周囲にアームと接する当接部が形成され、前記当接部に貫通孔から外向きに伸びる突条あるいは溝が形成されており、
一方、サブカバーは、両端にアームが設けられ、そのアームの先端に貫通孔が設けられるとともに、その貫通孔を設けた先端に、アームを隙間に挿入した際にメインカバーの当接部と接する摺動部が設けられ、その摺動部には貫通孔から外向きに伸びる溝あるいは突条が設けられおり、
前記サブカバーのアームを開放部の両端に形成される隙間に挿入し、前記シャーシのネジ孔、アームの貫通孔、メインカバーの貫通孔を一致させて、メインカバーの貫通孔からネジを挿通してネジ止めし、アームの摺動部の溝あるいは突条と、メインカバーの当接部の突条あるいは溝を係合させてサブカバーを開閉するようにしたカバーの取り付け構造。
【請求項２】
上記サブカバーがケーブルを保護する保護カバーである請求項１に記載のカバーの取り付け構造。
【発明の詳細な説明】
【技術分野】
【０００１】
この発明は、電子機器に用いられるカバーの取り付け構造に関するものである。
【背景技術】
【０００２】
電子機器には、サブカバーを取り付けて接続ケーブルや調整ボリュームなどを見えなくしたものがある。
【０００３】
例えば、（特許文献１）に示すものは、電話装置の主装置で、図８に示すように、装置本体１と装置本体１を被うカバー２とで構成されている。また、前記カバー２は、装置本体１の前面の上部を被うメインカバー３と、下部を被うサブカバー（サブカバー）４とで構成され、前記サブカバー４は、装置本体１の工事部５を被う。
ここで、工事部５は、主装置の配線部などケーブルとの接続部や調整用ボリュームなどを設けた部分である。
【０００４】
このサブカバー４には、図９に示すように、上端（背面側）に係止用のツメ６、７と係合用のリング部材８が設けてある。ここで、係止用のツメ６，７は、上端の中央に設けられた主ツメ６とその主ツメ６の左右に設けた副ツメ７とで構成される。また、上端の左右に設けられたリング部材８は、途中に括れ嵌入部を設けた形状になっている。
【０００５】
一方、装置本体１の工事部５には、上方に主ツメ６用の第１と第２の挿入穴９，１０、および副ツメ７用の嵌合口１１と係止用リブ１２、それに、前記リング部材８を嵌める動作軸１３が設けてある。ここで、動作軸１３は、真ん中に空隙を設けた左右一対の軸から構成されたもので、前記動作軸１３の空隙に、サブカバー４のリング部材８の括れ部分を通すことで、サブカバー４を脱着できるようになっている。
【０００６】
また、リング部材８で動作軸１３に取り付けたサブカバー４は、開閉自在に支持されるようになっており、こうして取り付けられたサブカバー４は、上端のツメ６，７を工事部の挿入穴９あるいは嵌合口１１に嵌入することで、サブカバーを開けた状態で保持したり、閉じた状態で維持したりできるようになっている。
【０００７】
すなわち、サブカバー４を開ける場合は、図８のように、サブカバー４の主ツメ６の上をメインカバー３の表面から押して、主ツメ６と第１の挿入穴９の奥（メインカバー３内）に設けたリブとの係合を解除し、サブカバーを下方にスライドする。そして、サブカバー４を開けて、主ツメ６を第２の挿入穴１０に嵌入する。同時に、副ツメ７をリブ１２に当接させて嵌合口１１に嵌めることで開いた状態を保持する。一方、サブカバー４を閉じた状態で保持する場合は、サブカバー４を閉じて、上方にスライドさせる。そして、主ツメ６を第１の挿入穴９に嵌入して中のリブと係合させればよい。
このように、このサブカバー４は、ネジ止めせずに開いた状態や閉じた状態を保てるというものである。
【特許文献１】特開２００６−１４７６７８号公報
【発明の開示】
【発明が解決しようとする課題】
【０００８】
しかしながら、上記のサブカバーの取り付け構造では、工事部にリブ、嵌合口や動作軸などを設けなければならないため、工事部がメインカバーより露出している必要がある。しかも、工事部に、リブ、嵌合口や動作軸などを設けるための余分なスベースを確保しなければならない問題もある。
【０００９】
また、動作軸を工事部内に設けたために、サブカバーを開けると、開けたサブカバーが工事部に被さって作業がし難い問題がある。
【００１０】
さらに、サブカバーを外して使用する場合は、リブや動作軸などの取り付け機構の一部が露呈するので見苦しい上に、露呈したリブや動作軸は尖っているので危険である。
【００１１】
加えて、サブカバーの保持は、主ツメや副ツメを挿入穴や嵌入口に係合させるという方法である。そのため、係合させる際に要する力は、主ツメ、副ツメ、挿入穴、嵌入口の寸法や製作精度などで決まってしまうので、その調節は難しく、開けた状態や閉じた状態で保持するのに失敗する問題がある。
【００１２】
そこで、この発明の課題は、工事部の有無に係わらず、サブカバーを取り付けられるようにすること、その際、工事部にサブカバーを取り付けるための余分なスペースを要しないようにすること、作業の邪魔にならないように開けることができるようにすること、サブカバーを外した際に、取り付け機構が露出しないようにすること、開閉に要する力を調整できるようにすることである。
【課題を解決するための手段】
【００１３】
上記の課題を解決するため、この発明では、シャーシを被うメインカバーと、そのメインカバーの被いを除いた前記シャーシの開放部に、アームで開閉自在に取り付けられるサブカバーとで構成され、前記メインカバーと前記シャーシの開放部の両端との間に、サブカバーのアームを挿入する隙間が形成され、その隙間のシャーシ側にネジ孔が設けられるとともに、前記ネジ孔と対向する貫通孔がメインカバーに設けられ、かつ、前記貫通孔の周囲にアームと接する当接部が形成され、前記当接部に貫通孔から外向きに伸びる突条あるいは溝が形成されており、一方サブカバーは、両端にアームが設けられ、そのアームの先端に貫通孔が設けられるとともに、その貫通孔を設けた先端に、アームを隙間に挿入した際にメインカバーの当接部と接する摺動部が設けられ、その摺動部には貫通孔から外向きに伸びる溝あるいは突条が設けられおり、前記サブカバーのアームを開放部の両端に形成される隙間に挿入し、前記シャーシのネジ孔、アームの貫通孔、メインカバーの貫通孔を一致させて、メインカバーの貫通孔からネジを挿通してネジ止めし、アームの摺動部の溝あるいは突条と、メインカバーの当接部の突条あるいは溝を係合させてサブカバーを開閉するようにした構成を採用したのである。
【００１４】
このような構成を採用したことにより、サブカバーは、開放部両端のシャーシとメインカバーとの隙間にフック状のアームを挿入して取り付ける。このため、工事部の有無に係わらず取り付けることができる。また、このように、サブカバーは、開放部両端のシャーシとメインカバーとの隙間に取り付けるので、工事部にサブカバーを取り付けるための余分なスペースを必要としない。このとき、アームでサブカバーをメインカバーの上に持ち上げるようにすれば、サブカバーが作業の邪魔にならないように開けた状態で保持できる。また、サブカバーはネジ止めしてあるので、ネジを外せば、簡単に取り外すことができる。その際、取り付け機構は、開放部両端のシャーシとメインカバーとの隙間に形成しているので露出しない。また、サブカバーは、シャーシのネジ孔、アームの貫通孔、メインカバーの貫通孔を一致させて、ネジ止めする構造なので、ネジの締め付けで係合量を決めれば、開閉に要する力を調整できる。また、このとき、アームとメインカバーは、当接部の溝と摺動部の突条とを係合させて係止するので、サブカバーを開けた状態や閉じた状態でネジ止めせずにしっかりと保持できる。さらに、ネジを締め付ければ確実に固定できる。
【００１５】
このとき、サブカバーがケーブルを保護する保護カバーとしたりする構成を採用できる。
【発明の効果】
【００１６】
この発明は、上記のように構成したことにより、工事部の有無に係わらず、取り付け機構を少ないスペースで実現し、外観に出さないようにできる。しかも、開閉に要する力の調整や開閉状態での固定も簡単にできる。
【発明を実施するための最良の形態】
【００１７】
以下、この発明を実施するための最良の形態を図面に基づいて説明する。
図１で示すこの形態は、無線ＬＡＮのアクセスポイントに本願のカバーの取り付け構造を適用したものである。
【００１８】
前記アクセスポイントは、メインカバー２１をシャーシ２２の前方に取り付ける構造で、そのメインカバー２１の被いを除いた開放部（ここでは、シャーシ２２の側方）２３に、図２のように、サブカバー２０を取り付ける構造となっている。
【００１９】
この形態のメインカバー２１とサブカバー２０は樹脂製で、メインカバー２１は、図１のように、シャーシ２２の前面（図では上面）と開放部２３を除く側面を被う形状のものである。
前記開放部２３は、メインカバー２１の被いを除き、ケーブル端子、リセットスイッチなどを設けた部分で、従来例で工事部と称した箇所に相当する部分である。
【００２０】
この開放部２３の両端には、図３（ａ）、図３（ｂ）に示すように、隙間２４が形成されている。前記隙間２４は、シャーシ２２とメインカバー２１との間に形成したもので、その大きさは、後述するサブカバー２０のアーム２５を挿入できる寸法に設定してある。
また、この隙間２４を形成するシャーシ２２側には、図１のように、シャーシ２２を折り曲げて支持部２６を形成し、その支持部２６にネジ孔２７を設けた構成としてある。他方、メインカバー２１側には、支持部（シャーシ２２側の）２６のネジ孔２７と対向する部分に貫通孔２８を設け、この貫通孔２８の周囲に当接部２９を形成してある。
また、前記当接部２９は、後述のサブカバー２０のアーム２５と接する部分で、図４のような半楕円形の台座となっている。この当接部２９には、突条３０を形成してある。前記突条３０は、貫通孔２８から外向き（シャーシに対して前方方向）に形成した直方体形状のもので、シャーシ２２に取り付けた際に、図４のように、シャーシ２２に対して垂直になる。
【００２１】
一方、サブカバー２０は、開放部２３と同幅に形成したカバー本体の両端に、アーム２５を設けた構成となっている。前記アーム２５は、略「コ」の字形に形成されたカバー本体の折り曲げ部分の上端に設けてある。このアーム２５は、「ク」の字形をしたフック状のもので、このフックは、サブカバー２０を開放部２３に取り付けた際に、フックの開口が、図５のように、シャーシ２２の前方（面）側になるように設けてある。また、アーム２５は、フックの先端に貫通孔３１を設け、その貫通孔３１の周囲に摺動部３２を設けてある。
この摺動部３２は、アーム２５を開放部２３の隙間２４に挿入した際、図３（ａ）、図３（ｂ）のように、メインカバー２１の当接部２９と接する側に形成してある。すなわち、アーム２５の外側を図１のように切り欠いて厚みを薄くし、その薄くした摺動部３２が当接部２９に係合するようにしてある。こうすることで、摺動部３２と当接部２９を係合させた際に、厚みが増して隙間２４が大きくなるのを防止してコンパクト化を図っている。
【００２２】
前記摺動部３２には、２本の溝３３ａ、ｂが設けてある。前記溝３３ａ、ｂは、メインカバー２１の当接部２９の突条３０と係合させるための直方体形状のもので、２本の溝３３ａ、ｂは貫通孔３１から９０°の間隔をおいて設けられている。すなわち、一方の溝３３ａは、サブカバー２０を開放部２３に取り付けた際に、貫通孔３１から外向き（前方）に伸びるように形成し、他方の溝３３ｂは、貫通孔３１から９０°の間隔をおいて、外向き（側方方向）に伸びるように形成してある。
【００２３】
ちなみに、サブカバー２０の下端は、内側に湾曲させてあるのは、遮蔽効果と端部が先鋭にならないようにして安全性を図ったものである。また、アーム２５の大きさは、後述のように、サブカバー２０を閉じた状態でメインカバー２１に連結し、かつ、開いた状態で、図６のようにメインカバー２１の上に位置するように大きさを形成したもので、メインカバー２１に合わせて適宜決められるものである。なお、符合３５は、ケーブル挿通用の孔で、切り込み付き遮蔽板が取り付けてある。
【００２４】
この形態は、上記のように構成され、この形態の無線ＬＡＮのアクセスポイントは、図１のように、シャーシ２２にメインカバー２１を取り付けた状態のものに、サブカバー２０を取り付ける。
【００２５】
このサブカバー２０の取り付けは、メインカバー２１の被いが除かれた開放部２３に取り付ける。このとき、サブカバー２０は、アーム２５の設けられた側を開放部２３に向け、アーム２５を開放部２３の両端の隙間２４に滑り込ませる。次に、滑り込ませたアーム２５の摺動部３２を図３（ａ）、図３（ｂ）のように、シャーシ２２の支持部２６とメインカバー２１の当接部２９の間に入れて、シャーシ２２の支持部２６のネジ孔２７、アーム２５の摺動部３２の貫通孔３１およびメインカバー２１の貫通孔２８を一致させる。そして、その一致させた孔２８、２９、３１にネジ３６を挿通してネジ止めする。このとき、ネジ３６の締め付け量は、サブカバー２０を動かしながら調整すれば良い。
【００２６】
このように取り付けたサブカバー２０は、閉じた状態のときは、図５のように、メインカバー２１の当接部２９の突条３０に、アーム２５の摺動部３２の溝（一方）３３ａが嵌り仮固定される。また、開いたときには、メインカバー２１の当接部２９の突条３０に摺動部３２の他方の溝３３ｂが嵌り、仮固定される。このように、当接部２９の溝３３ａ、ｂと摺動部３２の突条３０とを係合させて係止するので、サブカバー２０を開けた状態や閉じた状態でネジ止めせずにしっかりと保持できる。
このとき、突条３０に溝３３ａ、ｂが嵌る際にクリック感とクリック音を発するので、係止状態を確実に把握できる。
【００２７】
また、開いたサブカバー２０は、図６のように、アーム２５を「ク」の字のフック状に形成したことによって、メインカバー２１の上に持ち上げることができるので、作業の邪魔にならず、接続作業などが楽にできる。作業後は、サブカバー２０を閉じて、しっかりと固定する場合は、当接部２９の溝３３ａ、ｂに摺動部３２の突条３０を嵌めた状態でネジ３６を締め付ければ、強固な本固定ができる。
【００２８】
すなわち、メインカバー２１とサブカバー２０は、いずれも樹脂製である。メインカバー２１は、サブカバー２０のアーム２５を挟み込んでシャーシ２２にネジ止めされる。このとき、メインカバー２１とサブカバー２０は、いずれも樹脂製であるから、ネジ３６を緩く締めた仮止の状態であれば、アーム２５の溝３３ａ、３３ｂにメインカバー２１の突条３０が係合した状態であっても、アーム２５は内側に、メインカバー２１は外側に撓むことで、サブカバー２０を開閉することが可能である。そのため、ネジ３６を締める強さによって、サブカバー２０の開閉ができない本固定状態と、サブカバー２０の開閉可能な仮固定状態とを調整することができるというものである。
【００２９】
また、このとき、メインカバー２１とサブカバー２０は、いずれも樹脂製であるから。突条３０が溝３３ａ、３３ｂに嵌ったり外れたりしても、突条３０と溝３３ａ、３３ｂとは大きく磨耗することはない。
【００３０】
一方、このサブカバー２０は、開放部２３の両端の隙間２４に、フック状のアーム２５を挿入して取り付ける。このため、工事部の有無に係わらず取り付けることができる。したがって、工事部５にサブカバー２０を取り付けるための余分なスペースを要しない。
また、サブカバー２０はネジ３６を外せば、簡単に取り外すことができる。その際、取り付け構造は、開放部２３両端の隙間２４の中なので露出しない。また、サブカバー２０は、シャーシ２２の支持部２６のネジ孔２７、アーム２５の貫通孔３１、メインカバー２１の貫通孔２８を一致させネジ３６で止める構造である。そのため、ネジ３６の締め付けで当接部２９と摺動部３２との係合量を調整すれば、開閉に要する力を決められる。このとき、アーム２５とメインカバー２１は、当接部２９の溝３３ｂと摺動部３２の突条３０とを係合させてネジ止めするのでしっかりと保持できる
【００３１】
また、この形態では、アーム２５の摺動部３２に溝３３ａ、ｂを形成し、メインカバー２１の当接部２９に突条３０を設けたが、アーム２５の摺動部３２に溝３３ａ、ｂに換えて２本の突条３０を設け、メインカバー２１の当接部２９に突条３０に換えて１本の溝３３ａを設けるようにしても同様の作用効果を得ることができる。
また、この形態では、摺動部３２に溝３３ａ、３３ｂを２本設けたものを示したが、これに限定されるものではない。例えば、前記２本の溝３３ａ、３３ｂの間に溝を設ければ、その間でのサブカバー２０の複数の角度（多段階）での保持ができる。同様に、突条３０を複数本設けることで、複数の角度でのサブカバー２０の保持ができる。
【実施例１】
【００３２】
この実施例１は、メインカバー２０よりも工事部５が突出した場合に、本願の取り付け構造を適用したものである。
【００３３】
図７に示すように、このサブカバー２０は、開放部２３の両端の隙間２４、すなわち、シャーシ２２とメインカバー２１との間にフック状のアーム２５を挿入して取り付ける構造である。そのため、図７のように、工事部５が突出した場合でも取り付けられる。
このように、工事部５の有無に係わらず。サブカバー２０を取り付けることができる。
【図面の簡単な説明】
【００３４】
【図１】実施形態の分解斜視図
【図２】実施形態の斜視図
【図３（ａ）】実施形態の断面図
【図３（ｂ）】実施形態の断面図
【図４】実施形態の作用説明図
【図５】実施形態の作用説明図
【図６】実施形態の作用説明図
【図７】実施例１の作用説明図
【図８】従来例の作用説明図
【図９】従来例の作用説明図
【符号の説明】
【００３５】
２０  サブカバー
２１  メインカバー
２２  シャーシ
２３  開放部
２４  隙間
２５  アーム
２６  支持部
２７  ネジ孔
２８  貫通孔
２９  当接部
３０  突条
３１  貫通孔
３２  摺動部
３３ａ  第１の溝
３３ｂ  第２の溝
３６  ネジ
【図１】
2010129836.tif 000003
【図２】
2010129836.tif 000004
【図３（ａ）】
2010129836.tif 000005
【図３（ｂ）】
2010129836.tif 000006
【図４】
2010129836.tif 000007
【図５】
2010129836.tif 000008
【図６】
2010129836.tif 000009
【図７】
2010129836.tif 000010
【図８】
2010129836.tif 000011
【図９】
2010129836.tif 000012